(57)【要約】【課題】  打弦部材の所望の硬度分布を容易に実現できるとともに、吸湿を抑制でき、それにより、豊かな音量と良好な音質を安定して得ることができるピアノのハンマーを提供する。【解決手段】  鍵１０の押鍵に伴って回動することによって、弦Ｓを打弦するピアノのハンマー１であって、ハンマー１は、鍵１０の押鍵に伴って回動するハンマーシャンク２と、ハンマーシャンク２に取り付けられた軸状のハンマーウッド４と、互いに異なる硬度を有する複数の種類の合成樹脂で構成され、複数の種類の合成樹脂が所定の硬度分布を有するように互いに組み合わされて配置されるとともに、ハンマーウッド４の先端部に取り付けられ、ハンマーシャンク２の回動に伴って弦Ｓを打弦する打弦部材５と、を備える。【選択図】  図１
2005128221.tif 000002
【特許請求の範囲】
【請求項１】
鍵の押鍵に伴って回動することによって、弦を打弦するピアノのハンマーであって、
前記ハンマーは、
前記鍵の押鍵に伴って回動するハンマーシャンクと、
当該ハンマーシャンクに取り付けられた軸状のハンマーウッドと、
互いに異なる硬度を有する複数の種類の合成樹脂で構成され、当該複数の種類の合成樹脂が所定の硬度分布を有するように互いに組み合わされて配置されるとともに、前記ハンマーウッドの先端部に取り付けられ、前記ハンマーシャンクの前記回動に伴って前記弦を打弦する打弦部材と、
を備えることを特徴とするピアノのハンマー。
【請求項２】
前記打弦部材の少なくとも前記弦を直接、打弦する打弦部分が、前記複数の種類の合成樹脂のうちの最も高い硬度を有する合成樹脂で構成されていることを特徴とする、請求項１に記載のピアノのハンマー。
【請求項３】
前記打弦部材の前記打弦部分の周方向の両側の部分が、前記打弦部分よりも低い硬度を有する合成樹脂で構成されていることを特徴とする、請求項２に記載のピアノのハンマー。  
【発明の詳細な説明】
【技術分野】
【０００１】
本発明は、グランドピアノやアップライトピアノなどにおいて、鍵の押鍵に伴って回動することによって、弦を打弦するピアノのハンマーに関する。
【背景技術】
【０００２】
従来のグランドピアノのハンマーとして、例えば特許文献１に開示されたものが知られている。このハンマー５１は、図６に示すように、前後方向（同図の左右方向）に延び、図示しない前端部（同図の右端部）で回動自在に支持されたハンマーシャンク５２と、その後端部に一体に取り付けられたハンマーヘッド５３を備えている。ハンマーヘッド５３は、木材で構成された軸状のハンマーウッド５４と、その先端部を包むように巻かれたハンマーフェルト５５を有している。ハンマーフェルト５５は、内側に巻かれたアンダーフェルト５５ａと、外側に巻かれたトップフェルト５５ｂで構成されている。
【０００３】
アンダーフェルト５５ａは、パルプなどから成る紙で構成され、Ｕ字状に形成されている。また、この紙には、アクリルエマルジョンが含浸されており、それにより、アンダーフェルト５５ａの吸湿を抑制するようにしている。トップフェルト５５ｂは、羊毛フェルトで構成されており、加湿した羊毛フェルトをプレス機（図示せず）により、加熱しながら所定の圧力で圧締することによって、アンダーフェルト５５ａよりも大きいＵ字状に形成されている。
【０００４】
以上の構成のハンマー５１は、対応する鍵（図示せず）の押鍵に伴って作動するアクション（図示せず）によって上方に回動し、ハンマーヘッド５３のトップフェルト５５ｂの部分で弦（図示せず）を打弦することによって、弦が振動し、それにより、ピアノの発音が行われる。
【０００５】
以上のように、上述した従来のハンマー５１では、アンダーフェルト５５ａがアクリルエマルジョンを含浸した紙で構成されることによって、アンダーフェルト５５ａを容易に作製するとともに、アンダーフェルト５５ａの吸湿を抑制するようにしている。しかし、その一方で、弦を直接、打弦するトップフェルト５５ｂは、羊毛フェルトで構成されているので、その吸湿を抑制することは困難である。そのため、使用環境によっては、トップフェルト５５ｂが湿気を吸うことにより、ハンマーフェルト５５が軟化するおそれがある。そのような場合には、鍵を押鍵したときの押鍵エネルギーが弦に十分に伝達されず、その結果、豊かな音量が得られなくなる。また、同じ理由から、トップフェルト５５ｂから弦に実際に伝達される押鍵エネルギーが、トップフェルト５５ｂの硬度に応じて変化するため、音質が悪化してしまう。
【０００６】
本発明は、このような課題を解決するためになされたものであり、打弦部材の所望の硬度分布を容易に実現できるとともに、吸湿を抑制でき、それにより、豊かな音量と良好な音質を安定して得ることができるピアノのハンマーを提供することを目的とする。
【０００７】
【特許文献１】特開２００３−１５７０７３号公報
【発明の開示】
【課題を解決するための手段】
【０００８】
この目的を達成するために、請求項１に係る発明は、鍵の押鍵に伴って回動することによって、弦を打弦するピアノのハンマーであって、ハンマーは、鍵の押鍵に伴って回動するハンマーシャンクと、ハンマーシャンクに取り付けられた軸状のハンマーウッドと、互いに異なる硬度を有する複数の種類の合成樹脂で構成され、複数の種類の合成樹脂が所定の硬度分布を有するように互いに組み合わされて配置されるとともに、ハンマーウッドの先端部に取り付けられ、ハンマーシャンクの回動に伴って弦を打弦する打弦部材と、を備えることを特徴とする。
【０００９】
この構成によれば、鍵が押鍵されると、ハンマーが回動し、ハンマーウッドに取り付けられた打弦部材が弦を打弦することによって、弦が振動し、ピアノの発音が行われる。
【００１０】
一般に、弦を打弦する打弦部材の硬度は、ピアノの音質に大きな影響を及ぼす。例えば、ピアノの音質は、ハンマーが弦を打弦したときの合成音で決まる。この合成音は、基音と、基音の振動数の整数倍の振動数をもつ振動倍音とから成り、倍音が適度に含まれると、豊かな音質が得られる。打弦部材の硬度が高すぎると、倍音が多くなりすぎ、音質は硬くなる。また、これとは逆に、打弦部材の硬度が低すぎると、倍音が少なくなり、豊かな音質が得られなくなる。このため、打弦部材の硬度分布は一般に、打弦部材の内側の部分が高く、外側の部分が低いという、いわゆる「内硬外柔」に設定されており、これにより、豊かな音量と良好な音質がバランス良く得られるとされている。
【００１１】
本発明によれば、打弦部材は、互いに異なる硬度を有する複数の種類の合成樹脂で構成されるとともに、これらの合成樹脂が所定の硬度分布を有するように互いに組み合わされて配置されている。したがって、この所定の硬度分布を適切に設定することにより、例えば前述した「内硬外柔」の硬度分布を含む所望の硬度分布を容易に実現でき、それにより、豊かな音量と良好な音質を安定して得ることができる。また、打弦部材は、合成樹脂で構成されるので、羊毛フェルトで構成された通常のハンマーフェルトと異なり、吸湿による軟化はほとんど生じない。その結果、吸湿による悪影響を受けることなく、豊かな音量と良好な音質を保つことができる。
【００１２】
請求項２に係る発明は、請求項１に記載のピアノのハンマーにおいて、打弦部材の少なくとも弦を直接、打弦する打弦部分が、複数の種類の合成樹脂のうちの最も高い硬度を有する合成樹脂で構成されていることを特徴とする。
【００１３】
この構成によれば、弦を直接、打弦する打弦部分が、複数の種類の合成樹脂のうちの最も高い硬度を有する合成樹脂で構成されるので、鍵を押鍵したときの押鍵エネルギーを、打弦部材から弦に効率良く伝達することができ、それにより、さらに豊かな音量を得ることができる。
【００１４】
請求項３に係る発明は、請求項２に記載のピアノのハンマーにおいて、打弦部材の打弦部分の周方向の両側の部分が、打弦部分よりも低い硬度を有する合成樹脂で構成されていることを特徴とする。
【００１５】
前述したように、打弦部材の硬度が高くなりすぎると音質は硬くなる。この構成によれば、打弦部材の打弦部分の周方向の両側の部分が、打弦部分よりも低い硬度を有する合成樹脂で構成されるので、その表面において、硬度の高い部分が打弦部分にのみ限定されることによって、硬度が高くなりすぎることがなくなる。その結果、それに起因する音質の硬化を防止でき、それにより、良好な音質を得ることができる。
【図面の簡単な説明】
【００１６】
【図１】本発明の第１実施形態によるグランドピアノのハンマーの部分側面図である。
【図２】ハンマーの打弦部材の硬度分布の一例を示す図である。
【図３】図１のハンマーを含むグランドピアノの鍵盤装置の側面図である。
【図４】本発明の第２実施形態によるグランドピアノのハンマーの部分側面図である。
【図５】本発明の第３実施形態によるグランドピアノのハンマーの部分側面図である。
【図６】従来のグランドピアノのハンマーを示す部分斜視図である。
【発明を実施するための最良の形態】
【００１７】
以下、図面を参照しながら、本発明の好ましい実施形態を、詳細に説明する。なお、以下の説明では、グランドピアノを演奏者から見た場合の手前側（図３の右側）を「前」、奥側（図３の左側）を「後」とし、さらに鍵の並び方向を「左右方向」として、説明を行うものとする。まず、図１を参照しながら、ハンマー１の構成について説明する。同図に示すように、ハンマー１は、ハンマーシャンク２と、ハンマーヘッド３などで構成されている。
【００１８】
ハンマーシャンク２は、木材または合成樹脂で構成されている。図３に示すように、ハンマーシャンク２は、細長い棒状に形成され、前後方向に延びており、その前端部においてシャンクフレンジ６に回動自在に支持されている。ハンマーシャンク２の前端部の所定の位置には、円柱状のシャンクローラ７が取り付けられている。また、ハンマーシャンク２の後端部には、これと直交するようにハンマーヘッド３が設けられている。ハンマーヘッド３は、軸状のハンマーウッド４と、この先端部に取り付けられた打弦部材５で構成されている。  
【００１９】
ハンマーウッド４は、木材または合成樹脂で構成されている。図１に示すように、ハンマーウッド４は、上下方向に延び、その先端部が先細り状に形成されている。ハンマーウッド４の基端部には、テール加工部４ａが形成されている。また、ハンマーウッド４の中間部には、前後方向に貫通する孔（図示せず）が形成され、この孔にハンマーシャンク２の後端部がはめ込まれ、接着されている。
【００２０】
打弦部材５は、打弦部５ａ、アンダー部５ｂおよびトップ部５ｃで構成されている。これらは、互いに異なる硬度を有する合成樹脂の成形品でそれぞれ構成されている。また、これらの部材５ａ〜５ｃの分布、すなわち硬度分布は、図２に示すピアノの打弦部材として通常用いられているハンマーフェルトの硬度分布に合致するように設定されている。したがって、以下、このハンマーフェルトの硬度分布について説明する。
【００２１】
図２は、ハンマーフェルトの硬度分布の一例を示したものである。この硬度分布は、整音作業が施された後のハンマーフェルト２１の硬度を測定した結果に基づくものである。ここで、整音作業とは、ハンマーフェルト２１の成形後に針刺し作業を施すことなどにより、ハンマーフェルト２１の硬度を調整することによって音質などを調整することをいう。この整音作業は、具体的には、次のようにして行われる。すなわち、ハンマーフェルト２１は、羊毛フェルトで構成されていて、加湿した羊毛フェルトを加熱し、ハンマーウッド２２に巻き付けた状態で、圧締することにより成形されるため、成形されたままではハンマーフェルト２１が全体として硬い状態になっている。このため、形成後、ハンマーフェルト２１の表面に針を刺すことによって、その部分の硬度を低くし、全体として所望の硬度分布を得るようにしている。
【００２２】
整音作業を行った後のハンマーフェルト２１の硬度を測定すると、図２に示すように、弦を直接、打弦する打弦部分とハンマーウッド２２の先端の間の部分Ａは、針刺しがほとんど行われないことで硬度が最も高い。これにより、打弦部分の硬度が確保される。また、部分Ａの両側の部分Ｂ，Ｂは、針刺しが若干行われることで部分Ａよりも硬度が低く、さらに、部分Ｂ，Ｂの両側の部分Ｃ，Ｃは、針刺しが十分に行われることで部分Ｂよりも硬度が低い。これにより、内硬外柔の硬度分布が実現される。さらに、ハンマーウッド２２を直接覆う両側の部分Ａ’，Ａ’は、部分Ａと同じ硬度になっている。これは、部分Ａ’は打弦部分から遠い位置にあることで、その硬度が音質に影響を及ぼさないことから、針刺しが省略されているためである。
【００２３】
前述したように、本実施形態の打弦部材５の硬度分布は、硬度が互いに異なる打弦部５ａ、アンダー部５ｂおよびトップ部５ｃを組み合わせることにより、上述したハンマーフェルト２１の硬度分布に基本的に合致するように設定されている。
【００２４】
具体的には、打弦部５ａは、図２のハンマーフェルト２１の部分Ａに相当するものであり、比較的硬度の高い、例えば硬質ゴムなどの合成樹脂で構成されている。同図に示すように、打弦部５ａは、一定の幅を有し、弦Ｓを直接、打弦する打弦部分５ｘとハンマーウッド４の先端との間に上下方向に延びるように配置されている。アンダー部５ｂ，５ｂは、ハンマーフェルト２１の部分Ｂ，Ｂに基本的に対応するものであり、打弦部５ａよりも硬度の低い、例えば軟質ゴムなどの合成樹脂で構成されている。アンダー部５ｂ，５ｂは、それぞれ細長い半円形状に形成され、ハンマーウッド４の両側に、それを中心に左右対称に配置されている。トップ部５ｃ，５ｃは、ハンマーフェルト２１の部分Ｃ，Ｃに基本的に対応するものであり、アンダー部５ｂよりも硬度の低い、例えば発泡ウレタンなどの合成樹脂で構成されている。トップ部５ｃ，５ｃは、打弦部５ａの上半部から周方向の両側に延びるとともに、アンダー部５ｂ，５ｂを覆うように配置されている。
【００２５】
ハンマーフェルト２１の部分Ａ’，Ａ’に相当する部分は、この部分の硬度が音質に影響を及ぼさないことと、アンダー部５ｂ，５ｂおよびトップ部５ｃ，５ｃの成形の容易さを考慮して、アンダー部５ｂ，５ｂおよびトップ部５ｃ，５ｃに置き換えられている。また、打弦部５ａ、アンダー部５ｂおよびトップ部５ｃは、それぞれ射出成形によって上述した所定の形状に成形され、成形後これらを互いに組み合わせ、接着することによって、打弦部材５が形成されている。
【００２６】
次に、鍵１０の押鍵に伴ってハンマー１を回動させるアクション８の構成を、図３を参照して説明する。アクション８は、多数の鍵１０（１つのみ図示）ごとに設けられている。同図に示すように、アクション８は、前後方向に延び、後端部を中心として回動自在のウィッペン１２と、ウィッペン１２に回動自在に取り付けられたレペティションレバー９およびジャック１１を備えている。各ウィッペン１２は、対応する鍵１０の上面後部に設けられたキャプスタンボタン１３に、ウィッペンヒール１４を介して載っている。
【００２７】
レペティションレバー９は、斜め前上がりに前後方向に延びており、その中央部において、ウィッペン１２に回動自在に取り付けられている。レペティションレバー９の前部の所定位置には、上下方向に貫通するジャック案内孔９ａが形成されている。このレペティションレバー９の上面のジャック案内孔９ａ付近に、ハンマー１がシャンクローラ７を介して載置されている。
【００２８】
ジャック１１は、Ｌ字状に形成されており、その角部においてウィッペン１２の前端部に回動自在に取り付けられている。ジャック１１の上端部は、レペティションレバー９のジャック案内孔９ａに、前後方向に移動自在に係合するとともに、離鍵状態においてはシャンクローラ７と微小な間隔を存して対向している。
【００２９】
以上の構成のアクション８によれば、図３に示す離鍵状態から鍵１０が押鍵されると、ウィッペン１２が、キャプスタンボタン１３を介して突き上げられることにより、上方に回動するとともに、ウィッペン１２に取り付けたレペティションレバー９およびジャック１１も上方に回動する。これに伴い、ジャック１１がシャンクローラ７を介してハンマーシャンク２を突き上げることによりハンマー１を上方に回動させる。その後、ハンマー１が、上方に張られた弦Ｓを打弦する直前まで回動した時点で、ジャック１１が、レギュレーティングボタン１５（図３参照）に係合し、その回動が阻止されることによって、シャンクローラ７から抜ける。これにより、ハンマー１は、アクション８および鍵１０との連結を解かれ、自由回動状態となり、打弦部材５の打弦部分５ｘで弦Ｓを打弦することによって、弦Ｓが振動し、それにより、ピアノの発音が行われる。
【００３０】
以上のように、本実施形態によれば、打弦部材５は、硬質ゴムで構成された打弦部５ａと、軟質ゴムで構成されたアンダー部５ｂと、発泡ウレタンで構成されたトップ部５ｃで構成されるとともに、これらの打弦部５ａ、アンダー部５ｂおよびトップ部５ｃにより、その硬度分布が図２に示すような通常のハンマーフェルト２１の硬度分布に合致するように設定されている。したがって、このような打弦部材５の硬度分布により、豊かな音量と良好な音質を得ることができる。具体的には、トップ部５ｃ，５ｃが外側に配置され、それよりも硬度の高いアンダー部５ｂ，５ｂが内側に配置されることによって、内硬外柔の硬度分布を実現できる。
【００３１】
また、弦Ｓを直接、打弦する打弦部分５ｘを含む打弦部５ａが最も硬度の高い硬質ゴムで構成されているので、鍵１０を押鍵したときの押鍵エネルギーを、打弦部材５から弦Ｓに効率良く伝達することができ、それにより、さらに豊かな音量を得ることができる。
【００３２】
さらに、打弦部分５ｘの周方向の両側からトップ部５ｃ，５ｃが延びているので、打弦部材５の表面において、硬度の高い部分が打弦部分５ｘにのみ限定されることによって、打弦部材５の硬度が高くなりすぎることがなくなる。その結果、それに起因する音質の硬化を防止でき、それにより、良好な音質を得ることができる。
【００３３】
さらには、打弦部材５は、合成樹脂の成形品である打弦部５ａ、アンダー部５ｂおよびトップ部５ｃを互いに組み合わせるだけで所望の硬度分布を容易にかつ確実に実現できるので、従来のような整音作業を完全に省略でき、その分、製造コストを削減することができる。また、打弦部材５は、合成樹脂で構成されるので、羊毛フェルトで構成された通常のハンマーフェルトと異なり、吸湿による軟化はほとんど生じない。その結果、吸湿による悪影響を受けることなく、豊かな音量と良好な音質を保つことができる。
【００３４】
図４は、本発明の第２実施形態によるグランドピアノのハンマー３１を示している。本実施形態は、上述した第１実施形態と比較し、ハンマーヘッド３２の打弦部材３３の構成が異なる。すなわち、第１実施形態では、打弦部材５が、互いに異なる硬度を有する３種類の合成樹脂で構成されているのに対し、この第２実施形態では、打弦部材３３は、互いに異なる硬度を有する２種類の合成樹脂で構成されている。
【００３５】
図４に示すように、打弦部材３３は、弦Ｓを直接、打弦する打弦部分３３ｘを含む打弦部３３ａと、打弦部３３ａの周方向の両側に配置されたトップ部３３ｂ，３３ｂで構成され、全体として第１実施形態の打弦部材５と同じ形状に形成されている。打弦部３３ａは、第１実施形態の打弦部５ａと同様、比較的硬度の高い硬質ゴムなどの合成樹脂の射出成形品で構成されている。同図に示すように、打弦部３３ａは、打弦部分３３ｘとハンマーヘッド４の先端との間に上下方向に延びる部分と、その下端からハンマーウッド４の先端部の両側に広がり、これを覆う部分で構成されている。各トップ部３３ｂは、第１実施形態のトップ部５ｃと同様、打弦部３３ａよりも硬度の低い、例えば軟質ゴムまたは発泡ウレタンなどの合成樹脂の射出成形品で構成されている。トップ部３３ｂ，３３ｂは、打弦部３３ａのほぼ上半部の周方向の両側に配置され、これを覆うように設けられている。打弦部材３３は、打弦部３３ａおよびトップ部３３ｂ，３３ｂを、互いに接着することによって形成されている。  
【００３６】
このように、本実施形態によれば、打弦部材３３が、互いに異なる硬度を有する打弦部３３ａとトップ部３３ｂ，３３ｂで構成されるとともに、これらが上述したように配置される。その結果、基本的に内硬外柔の硬度分布を実現できるとともに、その表面において、硬度の高い部分が打弦部分３３ｘにのみ限定されるので、豊かな音量と良好な音質を安定して得られるなど、第１実施形態と同様の効果を得ることができる。また、本実施形態では、打弦部材３３は、２種類の合成樹脂で構成されるので、第１実施形態と比較して容易に形成することができる。
【００３７】
図５は、本発明の第３実施形態によるグランドピアノのハンマー４１を示している。本実施形態は、上述した第２実施形態と比較し、ハンマーヘッド４２の打弦部材４３の構成が異なる。すなわち、第２実施形態の打弦部材３３が、Ｕ字形の側面形状を有しているのに対し、この第３実施形態では、打弦部材４３は、扇形の側面形状を有している。
【００３８】
図５に示すように、打弦部材４３は、弦Ｓを直接、打弦する打弦部分４３ｘを含む打弦部４３ａと、打弦部４３ａ両側に配置されたトップ部４３ｂ，４３ｂで構成されている。打弦部４３ａは、第２実施形態の打弦部３３ａと同様に、比較的硬度の高い硬質ゴムなどの合成樹脂の射出成形品で構成されている。同図に示すように、打弦部４３ａは、第１実施形態の打弦部５ａと同様、打弦部分４３ｘとハンマーウッド４の先端との間に上下方向に延びるように配置されている。トップ部４３ｂは、第２実施形態のトップ部３３ｂと同様に、打弦部４３ａよりも硬度の低い、軟質ゴムまたは発泡ウレタンなどの合成樹脂の射出成形品で構成されている。トップ部４３ｂ，４３ｂは、打弦部４３ａおよびハンマーウッド４の先端部の周方向の両側に、これらを中心に左右対称に設けられている。打弦部材４３は、打弦部４３ａおよびトップ部４３ｂを、互いに接着することによって形成されている。
【００３９】
このように、本実施形態によれば、打弦部材４３が、互いに異なる硬度を有する打弦部４３ａおよびトップ部４３ｂ，４３ｂで構成されるとともに、これらが上述したように配置されるので、第２実施形態と同様の効果を得ることができる。また、本実施形態では、打弦部材４３は、扇形の側面形状を有することにより、第２実施形態の打弦部材３３よりも重量が小さくなり、それにより、ハンマー４１の回動速度が高められることによって、さらに豊かな音量を得ることができる。
【００４０】
なお、本発明は、説明した実施形態に限定されることなく、種々の態様で実施することができる。例えば、第１実施形態では、最も硬度の高い打弦部５ａを硬質ゴムで、次に硬度の高いアンダー部５ｂを軟質ゴムで、最も硬度の低いトップ部５ｃを発泡ウレタンでそれぞれ構成した例であるが、他の適当な合成樹脂を用いることが可能である。このことは、第２および３実施形態における打弦部３３ａ，４３ａおよびトップ部３３ｂ，４３ｂについても同様である。また、打弦部材の硬度分布や形状は、第１から３実施形態で例示したものに限らず、本発明の趣旨に合致する限り、他の適当な分布や形状に設定することが可能である。さらに、本実施形態は、本発明をグランドピアノのハンマーに適用した例であるが、本発明を、アップライトピアノのハンマーに適用してもよいことは、もちろんである。その他、本発明の趣旨の範囲内で、細部を適宜、変更することが可能である。
【符号の説明】
【００４１】
１  ハンマー
２  ハンマーシャンク
４  ハンマーウッド
５  打弦部材
５ａ  打弦部
５ｂ  アンダー部
５ｃ  トップ部
５ｘ  打弦部分
１０  鍵
３１  ハンマー
３３  打弦部材
３３ａ  打弦部
３３ｂ  トップ部
３３ｘ  打弦部分
４１  ハンマー
４３  打弦部材
４３ａ  打弦部
４３ｂ  トップ部
４３ｘ  打弦部分
Ｓ  弦
【図１】
2005128221.tif 000003
【図２】
2005128221.tif 000004
【図３】
2005128221.tif 000005
【図４】
2005128221.tif 000006
【図５】
2005128221.tif 000007
【図６】
2005128221.tif 000008